(57)【要約】【課題】レイアウトされる領域へ貼り付けられるコンテンツの選択操作において、選択するコンテンツが貼り付けられるレイアウト領域中の位置の確認を容易にする。【解決手段】コンテンツ一覧画面を表示する手段と、カーソルを表示する手段と、カーソルを移動する手段と、レイアウト台紙データを指定する手段と、コンテンツを選択する手段とを有するシステムにおいて、選択されたコンテンツを貼り付ける先のレイアウト領域番号を表示する手段を備えることを特徴とする。【選択図】        図１
2004164265.tif 000002
【特許請求の範囲】
【請求項１】
表示画面内に複数のコンテンツ表示領域を有し、画面にカーソルを表示する手段と、カーソルを移動する手段と、一覧からコンテンツを選択する手段と、台紙レイアウトを指定する手段と、選択されたコンテンツをレイアウトに貼り付ける手段を有するシステムにおいて、選択されたコンテンツを貼り付ける先の位置の番号を選択カーソル内に表示する手段を備える事を特徴とするシステム。
【請求項２】
前記システムにおいて、選択されたコンテンツを貼り付ける先の位置の番号を選択カーソルに付随するコメントウィンドウ等に表示する手段を備える事を特徴とするシステム。
【請求項３】
請求項１又は２に記載の手段を備えるシステムにおいて、台紙レイアウト上の貼り付け先の位置を選択する手段を備え、既に貼り付けられたコンテンツ領域の再選択操作を指定した場合に、コンテンツ選択画面において、請求項１〜２の手段の表示形態と異なる表示形手段を備えることを特徴とするシステム。
【発明の詳細な説明】
【０００１】
【発明の属する技術分野】
本発明は、複数コンテンツの一覧を表示し、コンテンツの選択操作をすることにより、アルバムやポストカードなどを作成するアルバムソフト等のコンテンツ収集操作に関するものである。
【０００２】
【従来の技術】
従来、レイアウトされた台紙にコンテンツを貼り付ける場合、コンテンツ選択用のカーソルが表示されているだけであった。
【０００３】
【発明が解決しようとする課題】
レイアウトされるコンテンツを複数選択操作する場合、現在選択操作しているコンテンツが貼り付けられるレイアウト位置の番号が、わかりずらいという問題を有していた。
【０００４】
【課題を解決するための手段】
上記課題を解決するために、レイアウトされるコンテンツ選択操作カーソル内に、貼り付け先の番号を明示する手段を設けることにより、レイアウト位置の把握がし易くなり、誤選択操作の防止になる。
【０００５】
また、レイアウトされるコンテンツ選択操作カーソル付近に、貼り付け先の番号をメッセージ表示し、明示する手段を設けることにより、レイアウト位置の把握がし易くなり、誤選択操作の防止になる。
【０００６】
また、レイアウト台紙への貼り付けがいったん完了後、レイアウト台紙上のコンテンツを選択する手段を用意し、指定されたコンテンツの再選択する手段を用意し、再選択する画面における貼り付け先の番号を明示する手段を、最初に選択する操作時と異なる色によって明示することにより、コンテンツ選択画面が最初の選択画面であるか、再選択画面であるかの判定が容易になる。
【０００７】
【発明の実施の形態】
（実施例）
以下、添付図面に従って本発明に係る実施形態を詳細に説明する。
【０００８】
図１は、本発明のハードウェアの構成図である。１１はＣＰＵ。１２はプログラムをロードして動作させたり、データを一時的に格納しておくＲＡＭ。１３はＲＯＭであり、起動プログラム等を格納する。１４はＣＲＴやＬＣＤ等の表示処理装置である。１５は入力装置であり、本システムでは図２に示すボタンを持つリモコンである。１６はプログラム等を格納しておくＨＤＤやＦＤＤ等のディスク装置である。１７は、各デバイス間のデータのやり取りを行うシステムバスである。
【０００９】
図２は、本システムの入力装置であるリモコンのボタン配置図である。２２〜２５はカーソルの移動操作をするための矢印ボタン。２１、２６、２７、２８はそれぞれ△、×、○、□ボタンである。それぞれのボタンは、基本的な意味付けがされているが、画面や状態により動作が変わる。基本的には、○ボタンは実行や選択の意味、×ボタンはキャンセルや戻るの意味、△ボタンはモード変更の意味、□ボタンは拡張機能の意味を持たせている。図５に示すメインメニュー画面においての操作では、カーソル移動後、○ボタンを押すと、カーソルのあるコンテンツのアルバム画面を起動する動作を行う。
【００１０】
図３は、本システムの基本動作を示すフローチャートである。本システムは、処理の動作開始契機としてイベントと呼ぶメッセージのようなものを用いる。基本的にシステムは起動後、ステップＳ３０１のイベント待ちの状態になる。１５リモコンのボタン操作をするとイベントが発行され、ステップＳ３０２において、イベントの判定を行い、それぞれの処理に振り分けられることになる。また、表示処理の起動契機としてもリモコンボタン操作とは別のイベントが発行される。ステップＳ３０３〜Ｓ３０６の各処理において、必要とする表示イベントを発行する処理を行い、ステップＳ３０２のイベント判定処理により振り分けられ、ステップＳ３０８の表示イベント処理で処理を行う。
【００１１】
ステップＳ３０２のイベント判定処理で用いる判定テーブルは、画面や状態に合わせたテーブルが用意してあり、このテーブルを切り替えることにより、それぞれの画面や状態でのリモコン操作等を振り分けている。
【００１２】
図５はメインメニュー画面である。５０１は、アルバムの種類を選択するためのアルバムタブである。５０２は、オリジナルアルバム作成の種類を選択するためのオリジナルタブである。５０１アルバムタブと５０２オリジナルタブの切り替えは、１５リモコンの横方向矢印ボタンの２３左矢印ボタンもしくは２４右矢印ボタンで行う。
【００１３】
また、５０４のアルバムの種類から５０３カーソルを用いてアルバムの種類を選択する。この操作は、１５リモコンの縦方向矢印ボタンの２２上矢印ボタンもしくは２５下矢印ボタンを用いて実行する項目上に５０３カーソルを移動し、２７○ボタンを押すことにより行う。本システムのカーソル移動用のボタンとしては、四方向のボタンしかないため、全ての画面において、四方向ボタンのみでカーソル操作ができるようにデザインしてある。Ｐｈｏｔｏ、Ｍｏｖｉｅ等の項目に５０３カーソルを移動し、２７○ボタンを押すと、それぞれのコンテンツのアルバム一覧画面に移動する。Ｏｒｉｇｉｎａｌの項目に５０３カーソルを移動し、２７○ボタンを押すと、５０２オリジナル作成タブ内の機能を用いて作成したオリジナルアルバムの一覧画面に移動する。
【００１４】
図６は、オリジナル作成メニュー画面である。図５のメインメニュー画面で横方向矢印ボタンを押して、５０２オリジナル作成タブを表示させた状態である。６０１はカーソルであり、新規アルバム作成やポストカード作成等の項目の選択に用いる。
【００１５】
図６において、レイアウトカード作成（Ｌａｙｏｕｔ  Ｃａｒｄ）を実行すると、図７の画面になる。
【００１６】
図７は、レイアウトアウトカードのレイアウト選択画面である。７０１はカーソル。７０２〜７０５はそれぞれレイアウトカードである。この画面の状態で、２７○ボタンを押すと、７０１カーソルのレイアウトが選択され、図８の画面になる。
【００１７】
図８は、レイアウトカードへのコンテンツ選択画面である。８０１はレイアウトカードの縮小表示領域である。８０２はカーソル。８０４はコンテンツ収集用カーソルであり、８０２カーソルに付随するように移動する。８０３は、８０４コンテンツ収集用カーソル内に表示したレイアウトカードの貼り付け先番号である。
【００１８】
図８の表示イベント処理のフローチャートが図４である。
【００１９】
図４では、まず、ステップＳ４０１において一覧画面の４段４つのコンテンツを表示する。次にステップＳ４０２で、図８の８０２のカーソル表示を行う。次にステップＳ４０３で、コンテンツ収集用カーソルの表示を行う。ステップＳ４０４では、コンテンツ貼り付け先の領域番号の表示を行う。本実施例では、コンテンツ収集カーソルに重ねて領域番号を表示している。次にステップＳ４０５において、８０１のレイアウト宿量表示領域の表示処理を行い表示イベント処理を終了する。
【００２０】
図８の画面状態で、２７○ボタンを押すと、８０２カーソルのコンテンツが選択される。
【００２１】
選択したコンテンツがレイアウトカードの縮小表示領域に表示されている状態を示したのが、図９の９０１である。上記１番目のコンテンツ選択後にカーソルを移動した状態が９０２であり、コンテンツ収集用カーソル上の番号は２番目を示す＃２になっている。
【００２２】
本実施例では、３つのレイアウトカード上に貼り付け領域は３つある。３つの領域にコンテンツの貼り付け操作をすると、図１１の画面に遷移する。
【００２３】
図１１は、貼り付けるコンテンツの選択操作が完了し、貼り付けたコンテンツを確認するための画面である。この画面で、２７○ボタンを押すと、貼り付け状態か確定し、レイアウトカードが完成する。１１０１は、カーソルであり、このカーソルを移動して２６×ボタンを押すと、カーソルで指定されたコンテンツの再選択処理となり、図１２の画面に遷移する。
【００２４】
図１２において、１２０１はレイアウトカードの縮小表示領域であるが、カーソルで指定された以外の領域には、選択済みのコンテンツが貼り付けされた状態を表示し、カーソルでしていされた領域は、貼り付け先番号を表示している。１２０２は、カーソルであり、再選択操作指定されたコンテンツの元コンテンツ上に表示している。
【００２５】
図１３は、図１２からカーソルを１３０２のコンテンツに移動した状態の画面である。ここで２７○ボタンを押すと、コンテンツが選択され＃２の領域にコンテンツが貼り付けられ、コンテンツ再選択操作が完了する。
【００２６】
コンテンツ再選択操作が完了すると図１４の画面に遷移する。図１４は１３０２のコンテンツが選択され、再度レイアウトの確認画面が表示された状態であり、１４０１に選択されたコンテンツが表示されている。
【００２７】
図１０は、図４のステップＳ４０４において、コンテンツ貼り付け先の領域番号を、メッセージウィンドウに表示するとした実施例を示したものである。１００１は、コンテンツ収集用カーソルの近くに、貼り付け先領域番号を表示したメッセージウィンドウである。
【００２８】
図１５は、レイアウト確認画面で、貼り付け済みコンテンツを選択し、コンテンツの再選択層を行った時、１回目のコンテンツ選択操作とは異なるカーソルの色で表示するとした実施例を示したものである。
【００２９】
ここで、カーソルでなく、コンテンツ収集用カーソルの色を異なる色で表示するとしても実現可能である。
【００３０】
また、システムプログラムを１６Ｄｉｓｋ装置でなく１３ＲＯＭに格納しているシステムであっても実現可能である。
【００３１】
また、入力装置がリモコンでなくキーボードであっても実現可能である。
【００３２】
本実施例では、カーソルとコンテンツ収集用カーソルを別のカーソルとしているが、１つのカーソルとしても、実現可能である。
【００３３】
【発明の効果】
以上説明したように、本発明により、レイアウトされたカードへのコンテンツ貼り付け操作において、コンテンツ貼り付け先の領域番号を容易に判断することが可能となる。
【図面の簡単な説明】
【図１】ハードウェア概略図
【図２】ユーザー操作の入力装置であるリモコンのボタン配置図
【図３】イベント処理のフローチャート図
【図４】一覧画面の表示イベント処理のフローチャート図
【図５】メインメニュー画面のアルバムタブ表示状態
【図６】メインメニュー画面のオリジナル作成タブ表示状態
【図７】レイアウト選択画面
【図８】＃１コンテンツ選択画面
【図９】＃２コンテンツ選択画面
【図１０】＃１貼り付けコンテンツ選択画面の他の実施例
【図１１】レイアウト確認画面
【図１２】＃２コンテンツ再選択画面
【図１３】＃２コンテンツ再選択画面カーソル移動後
【図１４】再選択後のレイアウト確認画面
【図１５】＃２コンテンツ再選択画面の他の実施例
【符号の説明】
１１：  ＣＰＵ
１２：  ＲＡＭ
１３：  ＲＯＭ
１４：  表示処理装置
１５：  入力装置（ＲＣ）
１６：  外部記憶装置（ＨＤＤ）
１７：  システムバス
２１：  リモコンの△ボタン
２２：  リモコンの上矢印ボタン
２３：  リモコンの左矢印ボタン
２４：  リモコンの右矢印ボタン
２５：  リモコンの下矢印ボタン
２６：  リモコンの×ボタン
２７：  リモコンの○ボタン
２８：  リモコンの□ボタン
５０１：  アルバム表示タブ
５０２：  オリジナル作成タブ
【図１】
2004164265.tif 000003
【図２】
2004164265.tif 000004
【図３】
2004164265.tif 000005
【図４】
2004164265.tif 000006
【図５】
2004164265.tif 000007
【図６】
2004164265.tif 000008
【図７】
2004164265.tif 000009
【図８】
2004164265.tif 000010
【図９】
2004164265.tif 000011
【図１０】
2004164265.tif 000012
【図１１】
2004164265.tif 000013
【図１２】
2004164265.tif 000014
【図１３】
2004164265.tif 000015
【図１４】
2004164265.tif 000016
【図１５】
2004164265.tif 000017